(57)【要約】【課題】スキャン結果を容易に確認できるスキャン装置を提供する。【解決手段】スキャン装置は、周波数ごとにデジタルテレビ放送波の存在の有無を検出し（Ｓ１０７，１０９）と、検出処理を開始してから終了するまでの検出結果をメモリに記憶する（Ｓ１１３）。スキャン装置は、検出結果を示す表示画面をスキャン装置のディスプレイに表示する（Ｓ１１３）。表示の際、スキャン装置は、メモリに記憶されている、検出処理の開始から終了までの間にデジタルテレビ放送波が存在すると検出された周波数に関連した情報を、同一の表示画面に表示する。【選択図】図１１
2015162865.tif 000002
【特許請求の範囲】
【請求項１】
デジタルテレビ放送のチャンネルをスキャンするためのスキャン装置であって、
ディスプレイと、
周波数ごとにデジタルテレビ放送波の存在の有無を検出するための検出手段と、
前記検出手段での検出処理の開始の指示を受け付けるための指示手段と、
前記検出手段で前記検出処理を開始してから終了するまでの検出結果を記憶するためのメモリと、
前記検出結果を示す表示画面を前記ディスプレイに表示する処理を行なうための表示処理手段とを備え、
前記表示処理手段は、前記メモリに記憶されている、前記検出処理の開始から終了までの間に前記デジタルテレビ放送波が存在すると検出された周波数に関連した情報を、同一の前記表示画面に表示する、スキャン装置。
【請求項２】
前記検出手段は、デジタルテレビ放送波の存在度合いを示す指標の値が予め規定した基準値以上である場合に当該周波数にデジタルテレビ放送波が存在すると検出する、請求項１に記載のスキャン装置。
【請求項３】
前記表示処理手段は、前記検出手段での検出結果として、前記指標の値をセグメント数で表わしたセグメント群を、前記検出処理の対象とする周波数の変化に伴って前記表示画面に表示する、請求項２に記載のスキャン装置。
【請求項４】
前記表示処理手段は、前記検出手段でデジタルテレビ放送波が存在すると検出されると、予め規定した情報を前記検出処理の対象とする周波数の変化に伴って前記表示画面に表示する、請求項１〜３のいずれかに記載のスキャン装置。
【請求項５】
前記指標は、信号レベルおよび信号品質の少なくとも一方を表わす、請求項２〜４のいずれかに記載のスキャン装置。
【請求項６】
前記検出手段は、前記検出処理の開始が指示されると、設定された開始周波数から終了周波数までを規定の変化量で変化させながらデジタルテレビ放送波の存在の有無を検出し、
前記検出処理の開始から終了までの間に前記デジタルテレビ放送波が存在すると検出された周波数が複数ある場合、前記表示処理手段は、少なくとも前記検出処理の終了の時点において、前記複数の周波数それぞれに関連した情報を同一の前記表示画面に表示する、請求項１〜５のいずれかに記載のスキャン装置。
【請求項７】
前記周波数に関連した情報は、前記周波数に定義付けられたチャンネルを表わす情報である、請求項１〜６のいずれかに記載のスキャン装置。
【請求項８】
スキャン装置での、デジタルテレビ放送のチャンネルのスキャン方法であって、
周波数ごとにデジタルテレビ放送波の存在の有無を検出するステップと、
前記検出するステップでの検出処理を開始してから終了するまでの検出結果をメモリに記憶するステップと、
前記検出結果を示す表示画面を前記スキャン装置のディスプレイに表示するステップとを備え、
前記表示するステップでは、前記メモリに記憶されている、前記検出処理の開始から終了までの間に前記デジタルテレビ放送波が存在すると検出された周波数に関連した情報を、同一の前記表示画面に表示する、スキャン方法。
【発明の詳細な説明】
【技術分野】
【０００１】
この発明はスキャン装置およびスキャン方法に関し、特に、デジタルテレビ放送のチャンネルをスキャンするスキャン装置および該スキャン装置でのスキャン方法に関する。
【背景技術】
【０００２】
従来、テレビアンテナを設置する際には、１チャンネルごとに信号品質をテレビ受像機で確認してアンテナ角度を調節することがなされていた。あるいは、特開２０１０−２３９５３９号公報（以下、特許文献１）に開示されているような、テレビ放送波の信号レベルを測定してその測定結果を表示するレベルチェッカーを利用して、測定された信号レベルからテレビ放送波の有無を判断することがなされていた。
【先行技術文献】
【特許文献】
【０００３】
【特許文献１】特開２０１０−２３９５３９号公報
【発明の概要】
【発明が解決しようとする課題】
【０００４】
前者の場合、テレビアンテナとテレビ受像機との位置が離れている場合、１チャンネルごとにテレビ受像機に確認に行く必要があり、煩雑であるという問題がある。また、後者の場合、測定者は信号レベル等からテレビ放送波の有無を判断し、そのチャンネルを特定する作業が必要となる、という問題がある。
【０００５】
本発明はこのような問題に鑑みてなされたものであって、デジタルテレビ放送波の存在する周波数に関連した情報を、容易に確認することのできるスキャン装置およびスキャン方法を提供することを目的としている。
【課題を解決するための手段】
【０００６】
上記目的を達成するために、本発明のある局面に従うと、スキャン装置はデジタルテレビ放送のチャンネルをスキャンするためのスキャン装置であって、ディスプレイと、周波数ごとにデジタルテレビ放送波の存在の有無を検出するための検出手段と、検出手段での検出処理の開始の指示を受け付けるための指示手段と、検出手段で検出処理を開始してから終了するまでの検出結果を記憶するためのメモリと、検出結果を示す表示画面をディスプレイに表示する処理を行なうための表示処理手段とを備え、表示処理手段は、メモリに記憶されている、検出処理の開始から終了までの間にデジタルテレビ放送波が存在すると検出された周波数に関連した情報を、同一の表示画面に表示する。
【０００７】
好ましくは、検出手段は、デジタルテレビ放送波の存在度合いを示す指標の値が予め規定した基準値以上である場合に当該周波数にデジタルテレビ放送波が存在すると検出する。
【０００８】
より好ましくは、表示処理手段は、検出手段での検出結果として、指標の値をセグメント数で表わしたセグメント群を、検出処理の対象とする周波数の変化に伴って表示画面に表示する。
【０００９】
好ましくは、表示処理手段は、検出手段でデジタルテレビ放送波が存在すると検出されると、予め規定した情報を検出処理の対象とする周波数の変化に伴って表示画面に表示する。
【００１０】
好ましくは、指標は、信号レベルおよび信号品質の少なくとも一方を表わす。
好ましくは、検出手段は、検出処理の開始が指示されると、設定された開始周波数から終了周波数までを規定の変化量で変化させながらデジタルテレビ放送波の存在の有無を検出し、検出処理の開始から終了までの間にデジタルテレビ放送波が存在すると検出された周波数が複数ある場合、表示処理手段は、少なくとも検出処理の終了の時点において、複数の周波数それぞれに関連した情報を同一の表示画面に表示する。
【００１１】
好ましくは、周波数に関連した情報は、周波数に定義付けられたチャンネルを表わす情報である。
【００１２】
本発明の他の局面に従うと、スキャン方法はスキャン装置でのデジタルテレビ放送のチャンネルのスキャン方法であって、周波数ごとにデジタルテレビ放送波の存在の有無を検出するステップと、検出するステップでの検出処理を開始してから終了するまでの検出結果をメモリに記憶するステップと、検出結果を示す表示画面をスキャン装置のディスプレイに表示するステップとを備え、表示するステップでは、メモリに記憶されている、検出処理の開始から終了までの間にデジタルテレビ放送波が存在すると検出された周波数に関連した情報を、同一の前記表示画面に表示する。
【発明の効果】
【００１３】
この発明によると、当該スキャン装置の使用者は、スキャン結果を容易に確認することができる。すなわち、使用者は、信号レベル等からテレビ放送波の有無を判断し、そのチャンネルを特定する、という作業を行なうことなくスキャン結果を得ることができる。また、測定者は、テレビ受像機で１チャンネルごとに信号品質を確認するという作業を行なうことなくスキャン結果を得ることができる。
【図面の簡単な説明】
【００１４】
【図１】この発明の一実施の形態によるスキャン装置の構成を示す斜視図である。
【図２】図１に示した画像表示部の画面を示す図である。
【図３】スキャン装置の装置構成を示す回路ブロック図である。
【図４】図３に示したチューナーＩＣの構成を示す回路ブロック図である。
【図５】スキャン装置でのスキャン動作の流れを表わした図である。
【図６】ＵＨＦモードでのスキャン動作中の表示画面の遷移の具体例を示した図である。
【図７】ＵＨＦモードでのスキャン動作中の表示画面の遷移の具体例を示した図である。
【図８】ＵＨＦモードでのスキャン動作中の表示画面の遷移の具体例を示した図である。
【図９】ＵＨＦモードでのスキャン動作中の表示画面の遷移の具体例を示した図である。
【図１０】スキャン装置の機能構成の具体例を示すブロック図である。
【図１１】スキャン装置のＣＰＵでの処理の流れの具体例を表わすフローチャートである。
【発明を実施するための形態】
【００１５】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１６】
＜外観説明＞
図１（Ａ）は、この発明の一実施の形態によるスキャン装置を斜め上の前方から見た斜視図であり、図１（Ｂ）はスキャン装置を斜め上の後方から見た斜視図である。図１（Ａ）（Ｂ）において、このスキャン装置は、本体部１と、本体部１の上端に設けられたアンテナ端子２と、本体部１の正面の上部に設けられた画像表示部３と、本体部１の正面の中央部に設けられた操作部４と、本体部１の裏面の下部に設けられたバッテリ収容部５とを備える。
【００１７】
本体部１内には、後述するチューナーＩＣ（Integrated  Circuit）、復調器、ＣＰＵ（Central  Processing  Unit）などが収容されている。アンテナ端子２は、ケーブルを介して測定対象のアンテナに接続される。画像表示部３はＬＣＤ（Liquid  Crystal  Display）を含み、その画面には検出された信号レベルなどが表示される。操作部４は、５個のボタンＢ１〜Ｂ５および十字キーＫを含み、スキャン装置の使用者によって操作される。バッテリ収容部５には、スキャン装置の電源となるバッテリが収容される。
【００１８】
スキャン装置の使用者は、本体部１の下部を一方の手で握り、画像表示部３を見ながら、他方の手で操作部４を操作して測定対象の信号などを選択したり、アンテナの向きを調整したりする。
【００１９】
図２は、図１に示した画像表示部３の画面を示す図である。図２において、画像表示部３の画面の上端の第１領域Ａ１には、給電機能と電圧測定機能との切換、マイクロＳＤカードの有無、音量、電池残量を示す文字やシンボルが表示される。第１領域Ａ１の下の第２領域Ａ２には、ＵＨＦ（ultra  high  frequency）モード、ＢＳ（Broadcast  Satellite）モード、ＣＳ（Communication  Satellite）モード、およびＬＴＥ（Long  Term  Evolution）モードのうちの選択されたモードを示す文字が表示される。
【００２０】
ＵＨＦモードでは、アンテナ端子２はＵＨＦ放送（地上波デジタルテレビ放送）用のアンテナに接続され、そのアンテナが受信した信号の信号レベルが検出される。ＢＳモードでは、アンテナ端子２はＢＳ放送用のアンテナに接続され、そのアンテナが受信した信号の信号レベルが検出される。ＣＳモードでは、アンテナ端子２はＣＳ放送用のアンテナに接続され、そのアンテナが受信した信号の信号レベルが検出される。ＬＴＥモードでは、アンテナ端子２はＵＨＦ放送（地上波デジタルテレビ放送）用のアンテナに接続され、そのアンテナに入射したＬＴＥ信号の信号レベルが検出される。
【００２１】
第２領域Ａ２の左下の第３領域Ａ３には、検出する信号の周波数（ＭＨｚ）またはチャンネル（ｃｈ）を示す文字が表示される。ＵＨＦモードでは、１３〜５２ｃｈのうちの選択されたｃｈが第３領域Ａ３に表示され、そのｃｈの信号レベルが検出される。ＢＳモードでは、１〜２３ｃｈのうちの奇数番のｃｈから選択されたｃｈが第３領域Ａ３に表示され、そのｃｈの信号レベルが検出される。ＣＳモードでは、２〜２４ｃｈのうちの偶数番のｃｈから選択されたｃｈが表示され、そのｃｈの信号レベルが第３領域Ａ３に検出される。
【００２２】
第３領域Ａ３および第４領域Ａ４の右横の第５領域Ａ５には、信号品質を示すＭＥＲ（変調誤差比：Modulation  Error  Ratio）、Ｃ／Ｎ（Carrier/Noise）、またはＢＥＲ（ビット誤り率：Bit  Error  Rate）のレベル（ｄＢ）を示す文字、それらのレベルを示す円形のインジケータ（セグメント群）、信号品質が良好であることを示す情報の一例としての「ＧＯＯＤ」の文字、などが表示される。ＵＨＦモード時はＭＥＲまたはＢＥＲの測定値が表示され、ＢＳモードおよびＣＳモード時はＣ／ＮまたはＢＥＲの測定値が表示される。
【００２３】
第４領域Ａ４の下の第６領域Ａ６には、スキャン機能とメモリ機能との切換を示す文字が表示される。第６領域Ａ６に右側の第７領域Ａ７には、スキャンモードにおいて選択した帯域に存在する１または２以上のｃｈを示す文字が表示される。また、第７領域Ａ７には、日時を表示することも可能となっている。
【００２４】
図１に戻って、操作部４の十字キーＫの四隅に４つのボタンＢ１〜Ｂ４が配置され、十字キーＫの中央の孔に１つのボタンＢ５が配置されている。電源ボタンＢ１を長押しすると電源がオンされ、電源がオンされているときに電源ボタンＢ１を長押しすると電源がオフされる。電源がオンされると、内蔵のＣＰＵなどが初期化され、画像表示部３の画面においてＵＨＦの１３ｃｈを示す文字が点滅する。
【００２５】
モードボタンＢ２を押すと、１回押す度にＵＨＦ，ＢＳ，ＣＳ，ＬＴＥ，ＵＨＦ，…とモードが順次切り換えられ、モードを示す文字が点滅する。たとえば、ＵＨＦの文字が点滅しているときに決定ボタンＢ５を押すと、ＵＨＦの文字が点灯し、ＵＨＦモードが決定される。また、ＬＴＥの文字が点滅しているときに決定ボタンＢ５を押すと、ＬＴＥの文字が点灯し、ＬＴＥモードが決定される。
【００２６】
ＵＨＦモード、ＢＳモード、またはＣＳモード時に十字キーＫの上端部を押すとｃｈ番号が増え、十字キーＫの下端部を押すとｃｈ番号が減少する。たとえば、１３ｃｈを示す文字が点滅しているときに決定ボタンＢ５を押すと、１３ｃｈを示す文字が点灯して１３ｃｈの選択が決定され、１３ｃｈの信号レベルとＭＥＲのレベルとインジケータとが画像表示部３の画面に表示される。
【００２７】
また、ＵＨＦモードにおいては、十字キーＫの左端部を押す度に、ＭＥＲとＢＥＲとの表示が切り換えられる。また、ＢＳモードおよびＣＳモードにおいては、十字キーＫの左端部を押す度に、ＭＥＲとＣ／Ｎとの表示が切り換えられる。また、十字キーＫの右端部を押すことにより、音量を複数段階で切り換えることが可能となっている。
【００２８】
また、スキャン／メモリボタンＢ３を押す度に、スキャンとメモリとの文字の表示が切り換えられる。ＵＨＦモード、ＢＳモード、ＣＳモードにおいてスキャンの文字が表示されているときに決定ボタンＢ５を押すと、後述するスキャン動作が開始され、それぞれＵＨＦ帯域、ＢＳ帯域、およびＣＳ帯域に存在するｃｈが検出されて画像表示部３の画面の第７領域Ａ７に表示される。また、各モードにおいてメモリの文字が表示されている場合は、検出結果が内蔵のメモリに記憶される。
【００２９】
また、給電／電圧ボタンＢ４を押す度に給電と電圧との文字表示が切り換えられる。各モードにおいて給電の文字が表示されているときに決定ボタンＢ５を押すと、スキャン装置からアンテナに電流が供給される。また、電圧の文字が表示されているときに決定ボタンＢ５を押すと、アンテナ端子２に印加された電圧が検出される。また、決定ボタンＢ５を長押しすると、画像表示部３の画面の第７領域Ａ７に日時が表示される。
【００３０】
また、ＬＴＥモード時に十字キーＫの上端部または下端部を押すと、測定対象となるＬＴＥ信号の周波数帯域が順次切り換わる。たとえば、十字キーＫの上端部を押すと、測定対象となるＬＴＥ信号の周波数帯域が７２３±５，７３３±５，７４３±５，７７３±５，７８３±５，７９３±５，７３３±１５，７８３±１５，７２３±５，…と順次切り換わる。また、十字キーＫの下端部を押すと、測定対象となるＬＴＥ信号の周波数帯域が逆の順序で順次切り換わる。十字キーＫの上端部または下端部を押すのを止めると、選択された周波数および帯域幅を示す文字がそれぞれ第３領域Ａ３および第５領域Ａ５において点滅する。
【００３１】
＜装置構成＞
図３は、スキャン装置の構成を示す回路ブロック図である。図３において、スキャン装置の本体部１内には、コンデンサ１０、チューナーＩＣ１１、復調器１２、発振器１３、および制御部１４が収容されている。制御部１４は、ＣＰＵ１４ａおよびメモリ１４ｂを含む。
【００３２】
アンテナ（図示せず）によって受信された高周波信号ＲＦは、ケーブル（図示せず）、アンテナ端子２、およびコンデンサ１０を介してチューナーＩＣ１１に与えられる。チューナーＩＣ１１は、図４に示すように、増幅器２０、局部発振器２１、ミキサ回路２２、帯域フィルタ２３、および制御部２４を含む。
【００３３】
増幅器２０は、復調器１２からの自動利得制御信号ＡＧＣに応じた利得で高周波信号ＲＦを増幅する。局部発振器２１は、制御部２４からの制御信号ＣＮＴ１に応じた周波数の局部発振信号を生成する。ミキサ回路２２は、増幅器２０からの高周波信号ＲＦと局部発振器２１からの局部発振信号とを混合して中間周波信号ＩＦを生成する。これにより、操作部４によって選択されたｃｈの高周波信号ＲＦが所定の周波数帯域の中間周波信号ＩＦに変換される。
【００３４】
帯域フィルタ２３の帯域幅は、６ＭＨｚ、８ＭＨｚ、および１０ＭＨｚのうちの所望の周波数の幅に変更可能になっており、制御部２４からの制御信号ＣＮＴ２によって設定される。ＵＨＦ放送、ＢＳ放送、およびＣＳ放送の各々では各ｃｈの帯域幅は６ＭＨｚであり、ＬＴＥ信号では各帯域の帯域幅は１０ＭＨｚである。このため、帯域フィルタ２３の帯域幅は、ＵＨＦモード、ＢＳモード、およびＣＳモードの各々では６ＭＨｚに設定され、ＬＴＥモードでは１０ＭＨｚに設定される。帯域フィルタ２３は、上記所定の周波数帯域の中間周波信号ＩＦのうちの設定された周波数の幅の信号成分のみを通過させる。
【００３５】
制御部２４は、復調器１２から供給されるクロック信号ＳＣＬおよびデータ信号ＳＣＡに基づいて制御信号ＣＮＴ１，ＣＮＴ２を生成する。制御信号ＣＮＴ１，ＣＮＴ２は、それぞれ局部発振器２１および帯域フィルタ２３に供給される。
【００３６】
たとえば、操作部４を用いてＵＨＦの１３ｃｈが選択された場合は、４７０〜４７６ＭＨｚの高周波信号ＲＦが所定の周波数帯域の中間周波信号ＩＦに変換され、その中間周波信号ＩＦのうちの６ＭＨｚ幅の帯域の信号成分のみが帯域フィルタ２３を通過する。
【００３７】
図３に戻って、復調器１２は、発振器１３で生成されるクロック信号に同期して動作する。復調器１２は、クロック信号ＳＣＬおよびデータ信号ＳＣＡをチューナーＩＣ１１に送信し、チューナーＩＣ１１を制御する。また、復調器１２は、チューナーＩＣ１１からの中間周波信号ＩＦの信号レベルが所定の信号レベルになるように自動利得制御信号ＡＧＣを生成してチューナーＩＣ１１にフィードバックするとともに、自動利得制御信号ＡＧＣをＣＰＵ１４ａに与える。
【００３８】
また、復調器１２は、チューナーＩＣ１１からの中間周波信号ＩＦを復調してデータ信号を再生する。復調器１２は、再生したデータ信号などをデータ信号ＳＣＡとして、クロック信号ＳＣＬに同期してＣＰＵ１４ａに供給する。
【００３９】
ＣＰＵ１４ａは、操作部４からの信号に従って、スキャン装置全体を制御する。特に、ＣＰＵ１４ａは、操作部４からの信号に従って、クロック信号ＳＣＬおよびデータ信号ＳＣＡを画像表示部３に送信し、図２で説明した画像を表示させる。また、ＣＰＵ１４ａは、操作部４からの信号に従って後述するスキャン動作を実行する。スキャン動作において、ＣＰＵ１４ａは、復調器１２からの自動利得制御信号ＡＧＣに基づいて高周波信号ＲＦの信号レベルを検出し、その信号レベルを示すデータ信号ＳＣＡを画像表示部３に送信して、スキャン結果を表わした表示画面を表示させる。また、ＣＰＵ１４ａは、スキャン動作において、復調器１２からのデータ信号ＳＣＡに基づいて信号品質を示すＭＥＲ、Ｃ／Ｎ、ＢＥＲを検出し、それらのレベルに基づいたスキャン結果を表わした表示画面を画像表示部３に表示させる。
【００４０】
＜動作概要＞
次に、本願の特徴となるスキャン動作の概要を説明する。スキャン動作は、周波数ごとにデジタルテレビ放送のチャンネルをスキャンする動作である。図５は、スキャン装置でのスキャン動作の流れを表わした図である。図５を参照して、スキャン装置はスキャン動作を開始すると、開始周波数として設定された周波数を検出対象の周波数に設定し（ステップＳ１）、当該周波数におけるテレビ信号の信号レベルを検出する（ステップＳ２）。その信号レベルが予め規定されている基準値以上であるか否かを判断することで、スキャン装置は当該周波数にデジタルテレビ放送波が存在するか否かを判断する（ステップＳ３）。上記判断にデジタルテレビ放送波の存在度合いを示す指標として、上記のように信号レベルの他、信号品質を利用することもできる。たとえば、上記指標として信号品質を示すＭＥＲを用いる場合、スキャン装置は、一例として基準値として２５ｄＢを予め規定しておく。そして、スキャン装置は、指標値であるＭＥＲの値が２５ｄＢ以上でスキャン装置は信号品質が良好、すなわち、当該周波数にデジタルテレビ放送波が存在するとの検出結果を返す。
【００４１】
当該周波数にデジタルテレビ放送波が存在すると検出された場合は、スキャン装置はその結果として当該周波数に関連する情報を表示画面に表示する（ステップＳ４）。周波数に関連する情報は、一例として、当該周波数に対して定義されているｃｈが挙げられる。周波数そのものであってもよい。
【００４２】
スキャン動作が開始してから今回の検出よりも以前の検出結果が表示画面に表示されている場合、ステップＳ４でスキャン装置は、以前の検出結果であるｃｈに加えて、今回の検出結果であるｃｈを表示するように表示画面を更新する。
【００４３】
その後、スキャン装置は、予め規定された変化量分、周波数を変化させて次の検出対象の周波数に設定し（ステップＳ１）、以降、上記動作を、終了周波数に達するまで繰り返す。
【００４４】
たとえばＵＨＦモードでは、開始周波数として１３ｃｈが定義された周波数の最小値である４７０ＭＨｚが設定されている。スキャン装置は、ＵＨＦモードでスキャン動作を開始すると、はじめに上記ステップＳ１で４７０ＭＨｚを設定してステップＳ２以下の動作を実行して、ステップＳ４でその結果を表示する。
【００４５】
図６〜図９は、ＵＨＦモードでのスキャン動作中の表示画面の遷移の具体例を示した図である。図６は、４７０ＭＨｚでの表示画面の具体例を表わしている。４７０ＭＨｚでのＭＥＲが２３ｄＢであった場合、スキャン装置は４７０ＭＨｚのデジタルテレビ放送波の存在度合いが低いと判断し、当該周波数にデジタルテレビ放送波が存在しないとの検出結果を返す。この場合、図６を参照して、検出結果として表示画面において１３ｃｈは提示されない。
【００４６】
好ましくは、スキャン装置は図６に示されたように、ＭＥＲの値（２３ｄＢ）を表示画面に表示する。スキャン装置は、上記値を、数値そのもので表示してもよいし、第５領域Ａ５の円形のインジケータ（セグメント群）のセグメント数で表示してもよいし、それら両方の表示を行なってもよい。これにより、測定者は視覚的にデジタルテレビ放送波の存在の有無を確認することができる。
【００４７】
十字キーＫの上端部（または下端部）が押されるに連れて、または自動で、スキャン装置は検出対象の周波数を更新する。スキャン装置は、次の検出対象の周波数として、たとえば規定の変化量が３ＭＨｚである場合には４７３ＭＨｚを設定してステップＳ２以下の動作を実行して、ステップＳ４でその結果を表示する。
【００４８】
図７は、４７３ＭＨｚでの表示画面の具体例を表わしている。４７３ＭＨｚでのＭＥＲが２８ｄＢであった場合、スキャン装置は４７３ＭＨｚのデジタルテレビ放送波の存在度合いが高いと判断し、当該周波数にデジタルテレビ放送波が存在するとの検出結果を返す。
【００４９】
この場合、図７を参照して、検出結果として表示画面において１３ｃｈが提示される。さらに、表示画面にはＭＥＲの値（２８ｄＢ）が表示され、併せて、第５領域Ａ５の円形のインジケータ（セグメント群）のセグメントが２８ｄＢを表わす数、表示される。このように、スキャン装置で指標を利用してデジタルテレビ放送波が存在するか否かの検出結果を表示することで、測定者は、指標値などから自身でデジタルテレビ放送波が存在するか否かを判断する必要なく、その結果を得ることができる。そのため、測定者は容易にスキャン作業を行なうことができる。
【００５０】
好ましくは、スキャン装置は図７に示されたように、デジタルテレビ放送波が存在すると検出すると、その旨を表わす「ＧＯＯＤ」の文字を表示画面の第５領域Ａ５などに表示する。これにより、測定者はデジタルテレビ放送波が存在することを視覚的により確実に理解することができる。
【００５１】
図８は、スキャン装置が上記スキャン動作を進めた後の表示画面の具体例を表わしている。スキャン装置は、十字キーＫの上端部（または下端部）が押されるに連れて、または自動で、スキャン装置は検出対象の周波数を更新して、当該周波数でのデジタルテレビ放送波の存在の有無を検出する。そして、図８に表わされたように、スキャン装置は、スキャン動作開始からデジタルテレビ放送波の存在すると検出された周波数に関する情報として、検出されたｃｈを表示画面に一同に表示する。
【００５２】
たとえばＵＨＦモードでは、終了周波数として５２ｃｈが定義された周波数の最大値である７１０ＭＨｚが設定されている。スキャン装置は、終了周波数までスキャン動作を実行すると、または、スキャン動作の終了が指示されると、一連のスキャン動作を終了する。
【００５３】
図９は、スキャン動作終了時の表示画面の具体例を表わしている。スキャン装置は、少なくともスキャン動作終了の時点において、スキャン動作開始からデジタルテレビ放送波が存在すると検出された周波数に関する情報として、検出されたｃｈを表示画面に一同に表示する。これにより、測定者は、少なくともスキャン動作終了の時点において、当該スキャン動作開始からの検出結果であるすべてのｃｈを同一の表示画面で確認することができる。これにより、測定者がアンテナ角度を調節しながらｃｈをスキャンしている場合、受信可能なｃｈをアンテナ角度を調節しながら得ることができる。そして、その後、当該表示画面をテレビ受像機付近で確認することで、測定者は表示画面を見ながらテレビ受像機の設定を行なうことができる。すなわち、測定者は、アンテナとテレビ受像機との間を往復しながらテレビ受像機の設定を行なう必要がなくなり、作業を効率化することができる。
【００５４】
＜機能構成＞
図１０は、上記動作を行なうためのスキャン装置の機能構成の具体例を示すブロック図である。図１０の各機能は、スキャン装置のＣＰＵ１４ａがメモリ１４ｂに記憶されているプログラムを読み出して実行することで、主にＣＰＵ１４ａで実現される。しかしながら、少なくとも一部機能が図３に示された他の装置構成、または図示されない電気回路などの他の構成によって実現されてもよい。
【００５５】
図１０を参照して、ＣＰＵ１４ａは、操作部４から操作信号の入力を受け付けるための指示入力部１４１と、操作部４を用いて選択されたｃｈに従ってスキャン対象の周波数を設定して復調器１２に設定された周波数を示すデータ信号ＳＣＡを出力するための設定部１４２と、復調器１２から高周波信号ＲＦの入力を受け付けるための信号入力部１４３と、デジタルテレビ放送波の存在する度合いを表わす指標として入力された高周波信号ＲＦの信号品質や信号レベルの値を算出することで、設定された周波数にデジタルテレビ放送波が存在するか否かを検出するための検出部１４４と、検出結果や指標値などを示すデータ信号ＳＣＡを画像表示部３に送信してスキャン結果を表わした図６〜図９のような表示画面を画像表示部３に表示させるための表示処理部１４５とを含む。
【００５６】
メモリ１４ｂは、検出部１４４での検出結果を記憶するためのメモリ領域である検出結果記憶部１４６を含む。検出結果記憶部１４６は、少なくともＣＰＵ１４ａがスキャン動作を開始してからの検出部１４４での検出結果を、少なくとも当該スキャン動作が終了するまでは記憶する。
【００５７】
表示処理部１４５は、検出部１４４でデジタルテレビ放送波が存在する周波数が検出されるたびに、当該スキャン動作の開始から検出されたｃｈに当該周波数に定義付けられたｃｈを加えて表示画面に表示する。したがって、検出部１４４がスキャン動作の開始から終了まで設定された開始周波数から終了周波数までを規定の変化量で変化させながらデジタルテレビ放送波の存在の有無を検出していく間に、複数の周波数についてデジタルテレビ放送波が存在すると検出した場合には、表示処理部１４５は、少なくともスキャン動作の終了の時点において、図９に示されたように、上記複数の周波数それぞれに定義された複数のｃｈを同一の表示画面に表示する。
【００５８】
好ましくは、表示処理部１４５は、検出結果として、上記指標の値そのものや、当該値をセグメント数で表わしたセグメント群を、周波数の変化に伴って表示画面に表示する。さらに、表示処理部１４５は、検出部１４４でデジタルテレビ放送波が存在すると検出されると、「ＧＯＯＤ」の文字などの予め規定した情報を周波数の変化に伴って表示画面に表示する。
【００５９】
検出部１４４は、デジタルテレビ放送波の存在度合いを示す指標の値が予め規定した基準値以上である場合に当該周波数にデジタルテレビ放送波が存在すると検出する。たとえば、上記の例のように信号品質を示すＭＥＲを指標として用いる場合、検出部１４４は、基準値として２５ｄＢを予め規定しておく。そして、検出部１４４は、算出されたＭＥＲが２５ｄＢ以上であれば当該周波数にデジタルテレビ放送波が存在すると検出し、２５ｄＢに満たない場合には当該周波数にデジタルテレビ放送波が存在しないと検出する。検出部１４４は、上記指標として、信号品質の他、信号レベルを用いてもよい。また、検出部１４４は、上記指標として、信号品質と信号レベルとを組み合わせて用いてもよいし、ＭＥＲおよびＢＥＲなど、複数の種類の信号品質を組み合わせて用いてもよい。
【００６０】
＜動作フロー＞
図１１は、ＣＰＵ１４ａでの処理の流れの具体例を表わすフローチャートである。ＣＰＵ１４ａは、スキャン／メモリボタンＢ３が押され、ＵＨＦモード、ＢＳモード、またはＣＳモードにおいてスキャンの文字が表示されているときに決定ボタンＢ５が押されたことを検出すると、図１１のフローチャートに表わされた処理を開始する。この処理は、ＣＰＵ１４ａがメモリ１４ｂに記憶されているプログラムを読み出して実行し、図１０の各機能を発揮することによって実現される。
【００６１】
図１１を参照して、はじめにＣＰＵ１４ａは、開始周波数として設定された周波数を検出対象の周波数に設定する（ステップＳ１０１）。たとえばＵＨＦモードではステップＳ１０１でＣＰＵ１４ａは、４７０ＭＨｚを検出対象の周波数に設定する。
【００６２】
ＣＰＵ１４ａは、設定した周波数を示すデータ信号ＳＣＡを復調器１２に対して出力し（ステップＳ１０３）、復調器１２からの高周波信号ＲＦの入力を待つ。
【００６３】
復調器１２から高周波信号ＲＦの入力を受け付けると（ステップＳ１０５でＹＥＳ）、ＣＰＵ１４ａは、デジタルテレビ放送波の存在する度合いを表わす指標の一例としてのＭＥＲを参照する（ステップＳ１０７）。ＣＰＵ１４ａは、算出したＭＥＲと予め規定した基準値である２５ｄＢとを比較し、当該周波数におけるデジタル放送波の有無を検出する。
【００６４】
すなわち、算出されたＭＥＲが２５ｄＢ以上であった場合（ステップＳ１０９でＹＥＳ）、ＣＰＵ１４ａは、当該周波数にデジタルテレビ放送波が存在すると検出する（ステップＳ１１１）。この場合、ＣＰＵ１４ａは、検出結果として当該周波数に関連する情報を表示画面に表示する。また、ＣＰＵ１４ａは、検出結果をメモリに記憶する（ステップＳ１１３）。ＵＨＦモードでのスキャン動作開始から最初の周波数での検出結果の場合、ステップＳ１１３でＣＰＵ１４ａは、１３ｃｈを表示する。当該スキャン動作ですでにデジタルテレビ放送波が存在する周波数が検出されている場合、ステップＳ１１３でＣＰＵ１４ａは、すでに検出された周波数に関連する情報をメモリから読み出し、上記ステップＳ１１１で検出された周波数に関連する情報をすでに表示されている情報に追加して表示する。好ましくは、ＣＰＵ１４ａは、さらに「ＧＯＯＤ」の文字などの予め規定した情報を表示画面に表示する（ステップＳ１１５）。
【００６５】
一方、算出されたＭＥＲが２５ｄＢに満たない場合（ステップＳ１０９でＮＯ）、ＣＰＵ１４ａは、当該周波数にデジタルテレビ放送波が存在しないと検出する（ステップＳ１１７）。この場合、ＣＰＵ１４ａは、上記ステップＳ１１１〜Ｓ１１５の処理は行なわない。
【００６６】
好ましくは、ＣＰＵ１４ａは、いずれの検出結果であっても、上記ステップＳ１０７で算出した指標値であるＭＥＲの値をセグメント数で表わしたセグメント群を表示画面に表示する（ステップＳ１１９）。
【００６７】
ＣＰＵ１４ａは、検出対象の周波数を予め規定された周波数分、変更して、次の周波数に変更する（ステップＳ１２１）。変更後の周波数が終了周波数として設定された周波数に達していない場合、たとえばＵＨＦモードにおいては５２ｃｈが定義された周波数の最大値である７１０ＭＨｚよりも小さい場合（ステップＳ１２３でＮＯ）、ＣＰＵ１４ａは、上記ステップＳ１０３からの処理を繰り返す。これにより、変更後の周波数についての検出結果がさらに表示画面に表示される。
【００６８】
変更後の周波数が終了周波数として設定された周波数に達した場合（ステップＳ１２３でＹＥＳ）、すなわち、たとえばＵＨＦモードの場合に７１０ＭＨｚに達した場合、ＣＰＵ１４ａは、一連の処理を終了する。このとき、好ましくはＣＰＵ１４ａは、上記ステップＳ１１３〜Ｓ１１９の表示画面の画像表示部３への表示を継続する。これにより、一連のスキャン動作の終了後に、測定者は当該スキャン動作でデジタルテレビ放送波が検出されたすべてのｃｈ番号を同一画面で確認することができる。
【００６９】
＜実施の形態の効果＞
以上のように、この実施の形態では、スキャン装置でスキャン動作を行なわせることで、測定者は、デジタルテレビ放送波が存在する周波数に関する情報を表示画面で確認することができる。さらに、測定者は、一連のスキャン動作でデジタルテレビ放送波が存在すると検出されたすべての周波数に関する情報を同一画面で確認することができる。したがって、測定者は、信号レベル等からテレビ放送波の有無を判断し、そのチャンネルを特定するという作業が不要となる。また、測定者は、テレビ受像機で１チャンネルごとに信号品質を確認するという作業が不要となる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
１  本体部、２  アンテナ端子、３  画像表示部、４  操作部、Ｂ１〜Ｂ５  ボタン、Ｋ  十字キー、５  バッテリ収容部、Ａ１〜Ａ７  領域、１０  コンデンサ、１１  チューナーＩＣ、１２  復調器、１３  発振器、１４，２４  制御部、１４ａ  ＣＰＵ、１４ｂ  メモリ、２０  増幅器、２１  局部発振器、２２  ミキサ回路、２３  帯域フィルタ、１４１  指示入力部、１４２  設定部、１４３  信号入力部、１４４  検出部、１４５  表示処理部、１４６  検出結果記憶部。
【図１】
2015162865.tif 000003
【図２】
2015162865.tif 000004
【図３】
2015162865.tif 000005
【図４】
2015162865.tif 000006
【図５】
2015162865.tif 000007
【図６】
2015162865.tif 000008
【図７】
2015162865.tif 000009
【図８】
2015162865.tif 000010
【図９】
2015162865.tif 000011
【図１０】
2015162865.tif 000012
【図１１】
2015162865.tif 000013